(57)【要約】      （修正有）【課題】空間内の空気中のトリチウム濃度を低減する放射性物質濃度低減方法を提供する。【解決手段】空気中の水蒸気のモル分率を低減する工程を備える。水蒸気低減工程は、空間内の空気を冷却する行程Ｓ１と、空間内の空気を入れ替える行程Ｓ２と、空間内の作業者の吸気を除湿する行程Ｓ３からなる。【選択図】図１
2016200490.tif 000002
【特許請求の範囲】
【請求項１】
空気中のトリチウムを含む放射性物質濃度を低減する方法であって、
上記空気中の水蒸気のモル分率を低減する工程
を備えることを特徴とする放射性物質濃度低減方法。
【請求項２】
上記水蒸気低減工程で、上記空気を冷却する請求項１に記載の放射性物質濃度低減方法。
【請求項３】
上記水蒸気低減工程が、
上記空間内の空気を排出する工程と、
上記排出した空気に吸湿材料含有フィルターを通過させる工程と
を有する請求項１又は請求項２に記載の放射性物質濃度低減方法。
【請求項４】
上記水蒸気低減工程で、空間内の作業者に対して除染マスクを用い、この除染マスクの吸気路に吸湿材料含有フィルターを設ける請求項１、請求項２又は請求項３に記載の放射性物質濃度低減方法。
【請求項５】
上記吸湿材料がゼオライト又はシリカゲルである請求項３又は請求項４に記載の放射性物質濃度低減方法。
【発明の詳細な説明】
【技術分野】
【０００１】
本発明は、放射性物質濃度低減方法に関する。
【背景技術】
【０００２】
放射性セシウム、放射性ストロンチウム等の放射性汚染物質を含有する汚染水、例えば事故後の原発における炉心冷却用循環水、廃水等は、環境破壊を防止するために放射性汚染物質を除去しなければ排出することが許されない。
【０００３】
このため、事故後の原発では、余剰となった原子炉冷却水を回収した汚染水が多数のタンクに貯留されている。これらのタンクの多くは、複数の板状部材をボルト締めすることにより現地で接合して形成されたボルト締め型タンクである。
【０００４】
このようなボルト締め型タンクでは、部材間の締結部のパッキン等の劣化により漏れが生じ得るため、数年が耐用期間と考えられる。そこで、複数の板状部材を溶接により接合して形成され、より寿命の長い溶接型タンクで、ボルト締め型タンクを置き換えることが望まれている。
【０００５】
しかしながら、事故後の原発で多く使用されているタンクは、貯留する液体を全量排出できるようには設計されておらず、貯留する汚染水を排出して浄化した後にもタンク内に一定量の汚染水が残留する。このように底部に汚染水が残留するタンクをしばらく放置すると、タンクの内部空間の空気中には、残留する汚染水から放出される放射性物質の中にトリチウムが含まれる可能性がある。
【０００６】
従って、このようなタンクを解体しようとすると、作業者がタンク内の空気を吸い込むおそれがあり、内部被爆のおそれがある。トリチウムは、トリチウム水蒸気として空気中に存在し得るため、粉じん対応マスクでは除去することが難しい。
【０００７】
同様に、建屋内部の閉鎖空間に放射性汚染水が存在する場合も、内部の空気のトリチウムを含む放射性汚染物質の濃度が高くなるため、内部に作業者が入って作業を行うことや建屋を解体することが容易ではない。
【０００８】
このようなタンク等の放射能汚染設備の解体方法としては、放射能汚染設備を覆う上屋を建設し、この上屋の内部に設けた遠隔操作可能なクレーンを用いて放射能汚染設備の解体及び除染を行うことにより、外部への放射性汚染物質の飛散を防止する方法が提案されている（例えば特開２０１３−１８１９２１号公報参照）。しかしながら、上屋の建設には大きなコストが必要である上、事故後の原発には多数のタンクが密集して配設されており、上屋の建設は技術的にも極めて困難である。
【先行技術文献】
【特許文献】
【０００９】
【特許文献１】特開２０１３−１８１９２１号公報
【発明の概要】
【発明が解決しようとする課題】
【００１０】
上記不都合に鑑みて、本発明は、空間内の空気の放射性汚染物質濃度を低減できる放射性物質濃度低減方法を提供することを課題とする。
【課題を解決するための手段】
【００１１】
上記課題を解決するためになされた発明は、空気中のトリチウムを含む放射性物質濃度を低減する方法であって、上記空気中の水蒸気のモル分率を低減する工程を備えることを特徴とする放射性物質濃度低減方法である。
【００１２】
水素の同位体であるトリチウムは、通常、酸素と結合してトリチウム水として存在し、水素と酸素とが結合した通常の水に混ざって液体又は水蒸気の状態で空間内に存在する。つまり、汚染水の存在する空間内の空気中には、トリチウムがトリチウム水蒸気として存在している可能性が高い。これに対し、当該放射性物質濃度低減方法では、上記空気中の水蒸気のモル分率を低減する工程を備えることによって、空気中のトリチウム水蒸気を水素と酸素とが結合した通常の水の水蒸気と同じ割合で低減することができる。このため、当該放射性物質濃度低減方法は、空間内の空気の放射性汚染物質濃度を低減することができる。
【００１３】
上記水蒸気低減工程で、上記空気を冷却するとよい。このように、上記水蒸気低減工程で、上記空気を冷却することによって、トリチウム水蒸気を凝縮させて、空間内の空気の放射性汚染物質濃度を容易かつ確実に低減することができる。
【００１４】
上記水蒸気低減工程が、上記空間内の空気を排出する工程と、上記排出した空気に吸湿材料含有フィルターを通過させる工程とを有するとよい。このように、上記水蒸気低減工程が、上記空間内の空気を排出する工程と、上記排出した空気に吸湿材料含有フィルターを通過させる工程とを有することによって、空気中のトリチウム水を吸着除去し、空気の放射性汚染物質濃度を容易かつ確実に低減することができる。
【００１５】
上記水蒸気低減工程で、空間内の作業者の除染マスクに対して、この除染マスクの吸気路に吸湿材料含有フィルターを設けるとよい。このように、上記水蒸気低減工程で、空間内の作業者の除染マスクに対して、この除染マスクの吸気路に吸湿材料含有フィルターを設けることによって、作業者が吸い込む空気中のトリチウム水を吸着除去して放射性汚染物質濃度を低減することにより、人体内に放射性汚染物質が取り込まれることを防止できる。
【００１６】
上記吸湿材料がゼオライト又はシリカゲルであるとよい。このように、上記吸湿材料がゼオライト又はシリカゲルであることによって、比較的容易かつ確実に空気中のトリチウム濃度を低減することができる。
【発明の効果】
【００１７】
上述のように、本発明の放射性物質濃度低減方法は、空間内の空気の放射性汚染物質濃度を低減することができる。
【図面の簡単な説明】
【００１８】
【図１】本発明の一実施形態の放射性物質濃度低減方法の手順を示すフローチャートである。
【図２】図１の空気入替工程を行う装置の構成を例示する模式図である。
【発明を実施するための形態】
【００１９】
以下、適宜図面を参照しつつ、本発明の実施の形態を詳説する。
【００２０】
［放射性物質濃度低減方法］
本発明の一実施形態に係る放射性物質濃度低減方法は、外部と区切られた空間内の空気中のトリチウムを含む放射性物質濃度を低減する方法である。
【００２１】
当該放射性物質濃度低減方法は、空間内の空気を人が吸い込んでも害がないように放射性物質濃度を低下させるために用いることができる。
【００２２】
当該放射性物質濃度低減方法によって空気中の放射性物質濃度を低減する空間としては、例えばタンクの内部空間、建物の室内空間等が挙げられ、典型的には、事故後の原発で放射性物質を含む汚染水を貯留するために使用され、寿命により解体される汚染水タンクの内部空間が挙げられる。
【００２３】
上記汚染水タンクとしては、特に限定されないが、複数の板材の周縁に配設したフランジ間をボルトで締結して形成されたボルト締め型タンクが想定される。このようなボルト締め型タンクとしては、例えばＪＩＳ−Ｇ３１０１（２０１０）に規定されるＳＳ４００のような一般構造用圧延鋼材等によって形成され、内面に例えばタールエポキシ樹脂等で防錆塗装を施したタンクがある。
【００２４】
上記汚染水タンクの平均内径の下限としては、特に限定されないが、３ｍが好ましく、５ｍがより好ましい。一方、汚染水タンクの平均内径の上限としては、２５ｍが好ましく、２０ｍがより好ましい。汚染水タンクの平均内径が上記下限に満たない場合、汚染水タンクを密閉空間内に移動して、密閉空間に設けた遠隔操作可能な装置を使用して解体することが可能であり、当該放射性物質濃度低減方法を適用するメリットが得られないおそれがある。逆に、汚染水タンクの平均内径が上記上限を超える場合、汚染水タンクの内部空間の容積が大きくなるため、当該放射性物質濃度低減方法のコストが増大するおそれがある。なお、「平均内径」とは、タンク内部の水平方向の最小寸法とこれに直交する水平方向の寸法との平均値を意味する。
【００２５】
また、上記汚染水タンクの平均高さの下限としては、３ｍが好ましく、５ｍがより好ましい。一方、汚染水タンクの平均高さの上限としては、３０ｍが好ましく、２５ｍがより好ましい。汚染水タンクの平均高さが上記下限に満たない場合、汚染水タンクを密閉空間内に移動して汚染物質を封止する方が効率的であり、当該放射性物質濃度低減方法を適用するメリットが得られないおそれがある。逆に、汚染水タンクの平均高さが上記上限を超える場合、汚染水タンクの内部空間の容積が大きくなるため、当該放射性物質濃度低減方法のコストが増大するおそれがある。
【００２６】
上記汚染水タンクの内部等の空間に適用される当該放射性物質濃度低減方法は、この空間内の空気中の水蒸気のモル分率を低減する水蒸気低減工程を備える。
【００２７】
＜水蒸気低減工程＞
水蒸気低減工程は、図１に示すように、空間内の空気を冷却する工程（ステップＳ１）と、空間内の空気を入れ替える工程（ステップＳ２）と、空間内の作業者の吸気を除湿する工程（ステップＳ３）とを有する。
【００２８】
（空気冷却工程）
ステップＳ１の空気冷却工程は、空間内の空気を冷却することによって、空気中の水蒸気を凝縮させて絶対湿度を低下させる工程である。
【００２９】
空間内の空気を冷却する方法としては、空間内の空気を直接冷却する方法以外にも、空間の外壁を冷却する方法、空間内に存在する液体の水を冷却する方法、空間内に冷媒を投入する方法等を用いることができる。空間内の空気を冷却する方法は、汚染水処理の負荷を増大させないために、汚染水の水量を増加させない方法が好ましい。
【００３０】
このようにして、空間内の空気を冷却することにより、空間内の空気中の水蒸気を凝縮させて、空気中の水蒸気のモル分率を低減することができる。これにより、空間内の空気中のトリチウム水蒸気の含有量、つまり空間内の空気中の放射性物質濃度を低減することができる。
【００３１】
空間内の空気を直接冷却する方法としては、例えば空間内にラジエーターつまり空気と冷媒との間で熱交換できる熱交換器を配置し、このラジエーターに外部から冷媒を供給する方法が挙げられる。
【００３２】
また、空間の外壁を冷却する方法としては、例えば空間の外壁に散水する方法が挙げられる。例えば、屋外に設置され、内部の汚染水を排出した後の貯水量が小さい汚染水タンクは、夏場には内部の温度がかなり上昇する。このような場合には、汚染水タンクに散水することによって、汚染水タンクの外壁の温度を、ひいては内部に残留する汚染水の温度及びその上部の空間内の空気の温度を安価かつ容易に低下させることができる。
【００３３】
また、空間内に存在する液体の水を冷却する方法としては、例えば汚染水タンクに残留する汚染水中に熱交換器を浸漬し、この熱交換器に外部から冷媒を供給する方法が挙げられる。このように、空間内に存在する液体の水を冷却することによって、水面上の空気を間接的に冷却することができる。
【００３４】
また、空間内に存在する液体の水を冷却することによって、水の飽和蒸気圧が低下するので、これと蒸発平衡状態にある空気中の水蒸気の分圧を低下させられる。これによって、空気中の水蒸気のモル分率を効率よく低減することができる。これにより、空間内の空気中の放射性物質濃度を効率よく低減することができる。
【００３５】
また、このように空間内の液体の水の温度を低下させれば、水の蒸発を抑制できるので、空間内の空気中の水蒸気のモル分圧が再上昇するまでの時間が長くなる。これによって、放射性物質濃度低減効果の持続時間を長くすることができる。
【００３６】
また、空間内に冷媒を投入する方法を用いる場合、空間内に投入される冷媒としては、例えばドライアイス、液体窒素等が挙げられる。
【００３７】
冷媒としてドライアイスや液体窒素を使用すれば、冷媒が気化するため汚染水の水量を増加させないようにできる。但し、ドライアイスや液体窒素を使用する場合、これらの冷媒が気化したガスによって空間内の放射性物質を含む空気が空間の外部に漏出するおそれがあるので、後述する空間内の空気入替工程と同様に、放射性物質を拡散させない措置を講じることが好ましい。
【００３８】
このように、空間内に冷媒を投入することによっても、空間内の空気中の水蒸気のモル分率を低減することができる。これにより、空間内の空気中のトリチウムを含む放射性物質濃度を低減することができる。
【００３９】
（空気入替工程）
ステップＳ２の空気入替工程は、空間内の空気を排出する工程と、排出した空気に吸湿材料含有フィルターを通過させる工程とを有する。
【００４０】
この空気入替工程は、汚染水タンクＸ内の空気の排出により、汚染水タンクＸ内に外気を吸引することで、汚染水タンクＸ内の空気を入れ替える。従って、空気入替工程は、汚染水タンクＸの上部の蓋を少なくとも部分的に外した状態で行うことが好ましい。
【００４１】
この空気入替工程は、例として、図２に示すように、汚染水タンクＸ内等の空間に一端が挿入されるダクト１と、このダクト１を介して空間内の空気を吸い出す吸引ファン２と、ダクト１に配設され、ダクト１を通過する空気中の水分を吸着する吸湿材料含有フィルター３とを有する空気入替装置を用いて行うことができる。
【００４２】
吸引ファン２による空気の吸引総量の下限としては、汚染水タンクＸの内容積の１倍が好ましく、６倍がより好ましく、１０倍がさらに好ましい。一方、吸引ファン２による空気の吸引総量の上限としては、汚染水タンクＸの内容積の５０倍が好ましく、３０倍がより好ましい。吸引ファン２による空気の吸引総量が上記下限に満たない場合、汚染水タンクＸ内の空気を十分に入れ替えることができず、トリチウムを含む放射性汚染物質濃度を十分に低減できないおそれがある。逆に、吸引ファン２による空気の吸引総量が上記上限を超える場合、空気入替工程に要する時間が不必要に長くなるおそれや、吸湿材料含有フィルター３の吸湿材料の消費量が不必要に増大するおそれがある。
【００４３】
上記吸湿材料含有フィルター３の吸湿材料としては、水蒸気を吸着できるものであれば特に限定されないが、ゼオライト及びシリカゲルが好ましい。吸湿材料としてゼオライト又はシリカゲルを使用することによって、比較的安価で、容易かつ確実に空気中のトリチウムを含む放射性汚染物質濃度を低減することができる。
【００４４】
また、吸湿材料含有フィルター３は、汚染水タンクＸ内の空気中に浮遊している塵埃を除去できるものであることが好ましい。これにより、汚染水タンクＸ内の空気中に浮遊している放射性物質及び浮遊しているダストに付着している放射性物質の汚染水タンクＸの外への拡散を防止できる。
【００４５】
この空気入替工程は、空気を排出する工程を有するので、排出した空気を補うよう空間内に外気を吸い込むことで、空間内の空気中の水蒸気のモル分率を低減し、空気中のトリチウム水蒸気の濃度、つまり放射性物質濃度を低減することができる。
【００４６】
また、空気入替工程は、空間内から排出した空気に吸湿材料含有フィルター３を通過させる工程を有するので、吸湿材料含有フィルター３によってトリチウム水を除去した空気を外部に放出する。これにより、空間内の空気中のトリチウム水蒸気が外部に拡散することを防止できる。
【００４７】
（吸気除湿工程）
ステップＳ３の吸気除湿工程は、空間内の空気のうち、作業者が呼吸により体内に吸い込む空気中のトリチウム水蒸気を集中的に除去する。
【００４８】
この吸気除湿工程は、空間内の作業者に対して除染マスクを用い、この除染マスクの吸気路に吸湿材料含有フィルターを設けることによって行われる。
【００４９】
除染マスクとしては、全面マスクが好ましい。
【００５０】
除染マスクの吸気路に設けられる吸湿材料含有フィルターの吸湿材料としては、水蒸気を吸着できるものであれば特に限定されないが、ゼオライト及びシリカゲルが好ましい。吸湿材料としてゼオライト又はシリカゲルを使用することによって、比較的安価で、容易かつ確実に空気中のトリチウムを含む放射性汚染物質濃度を低減することができる。
【００５１】
［汚染水タンク解体方法］
続いて、当該放射性物質濃度低減方法を用いて汚染水タンクを解体する方法について説明する。
【００５２】
汚染水タンク解体方法は、汚染水タンクに貯留されている汚染水を排出する工程と、この汚染水排出工程後に汚染水タンクに残留する汚染水を希釈する工程と、汚染水を希釈した低濃度汚染水を排出する工程と、汚染水タンク内に残留する水を除去する工程と、当該放射性物質濃度低減方法の空気冷却工程を行う工程と、当該放射性物質濃度低減方法の空気入替工程を行う工程と、当該放射性物質濃度低減方法の吸気除湿工程を行いつつ汚染水タンクを解体する工程とを備える。
【００５３】
＜汚染水排出工程＞
汚染水排出工程では、一般的な手段、例えば汚染水タンクに設けられたノズルからの流出、汚染水タンク内に挿入されるパイプを介して接続される吸引ポンプによる吸引等によって、汚染水タンク中に貯留されている汚染水を排出する。
【００５４】
この汚染水排出工程は、汚染水タンクから排出される汚染水を浄化設備に連続的に供給して、汚染水中の汚染物質を除去する工程、つまり汚染水を浄化するための工程として行うことが想定される。
【００５５】
＜汚染水希釈工程＞
汚染水希釈工程では、汚染水タンクに希釈水を供給することにより、汚染水排出工程後に残留する汚染水を希釈する。
【００５６】
例えば事故後の原発において発生した汚染水を貯留するために使用されるほとんどの汚染水タンクの構造は、一般的な手段では貯留する汚染水を全量排出することが困難なものである。従って、この汚染水希釈工程において汚染水タンク内に残留する汚染水を希釈することによって、汚染水タンク内で作業者が作業を行うことができる程度に汚染物質濃度を低下させる。
【００５７】
汚染水希釈工程では、汚染水タンク内の残留水の放射性汚染物質濃度を３，０００Ｂｑ／ｃｃ以下に低下させることが好ましい。
【００５８】
この汚染水希釈工程では、希釈水を汚染水タンクの側壁内面全体に当接させるよう導入することが好ましく、希釈水を汚染水タンクの内壁面全体に順次衝突させるよう噴射することがより好ましい。このように、希釈水を汚染水タンクの内壁面に当接させることで、汚染水タンクの側壁内面に付着している汚染物質を洗い落すことができる。
【００５９】
希釈水を噴射する方法としては、浄化水の供給圧力によって浄化水の噴射方向を自動的に３６０°変化させながら噴射することができる三次元洗浄ノズルを用いることが好ましい。このような三次元洗浄ノズルとしては、噴射口の向きを互いに直交する２つの軸を中心に回転させる回転機構を有するものが好ましい。
【００６０】
（希釈水）
希釈水としては、汚染物質濃度が低い水であればよいが、上記汚染水排出工程で汚染水タンクから浄化設備に供給され、浄化設備において汚染物質が除去された浄化水を用いることができる。希釈水の汚染物質濃度としては、浄化設備の能力にもよるが、例えばＮＤレベル（数Ｂｑ／ｃｃ）以上５００Ｂｑ／ｃｃ以下とすることができる。このように、希釈水として汚染水を浄化した水を用いることによって、汚染水の総量を増加させずに、汚染水タンク内の貯留水の汚染物質濃度を低減することができる。
【００６１】
（浄化設備）
希釈水として使用される浄化水を得るための浄化設備としては、フィルターユニット、１次吸着塔及び２次吸着塔を備えるものを使用することが好ましい。
【００６２】
フィルターユニットは、汚染水中の浮遊物質や油等を濾し取る。これにより、１次吸着塔及び２次吸着塔の吸着剤の目詰まりによる能力低下を抑制し、吸着能力を十分に発揮させる。
【００６３】
フィルターユニットは、複数がいずれかに選択的に通水できるよう並列に接続され、通水されていないフィルターユニット全体又はその内部のフィルターを交換できるように配設されることが好ましい。
【００６４】
フィルターユニットに配設されるフィルターとしては、例えば平均開口径０．２μｍ程度のメンブレンフィルター等が好適に用いられる。
【００６５】
さらに、フィルターユニットは、メンブレンフィルターの下流側に、活性炭吸着剤層を有することが好ましい。フィルターユニットが活性炭吸着剤層を有することにより、１次吸着塔及び２次吸着塔の吸着剤の目詰まりをより確実に防止できる。
【００６６】
１次吸着塔は、ストロンチウムを選択的に吸着する吸着剤が充填される。
【００６７】
１次吸着塔は、複数配設されることが好ましく、全てに通水可能かつ任意の１つを除外して通水可能に直列に接続され、切り離した１次吸着塔を新しいものと交換し、交換後の新しい１次吸着塔を最下流に接続することができるよう配管されるとよい。これにより、破過つまり吸着能力が飽和した１次吸着塔を順次新しいものに入れ替えることで、連続して浄化を行うことができる。
【００６８】
１次吸着塔１４に充填されるストロンチウムを選択的に吸着する吸着剤としては、例として、カルシウム及びマグネシウムを透過せず、ストロンチウムを選択的に透過する膜を表面に有し、ストロンチウムを吸着する無機材料を内部に有するカプセル状の吸着剤が使用できる。
【００６９】
上記ストロンチウムを選択的に透過する膜としては、例えばアルギン酸カルシウム膜等が挙げられる。また、ストロンチウムを吸着する無機材料としては、Ａ型ゼオライト、Ｘ型ゼオライト等が挙げられる。このようなストロンチウム用吸着剤は、浮遊物質及び油分を濾し取る濾材としても機能する多孔質体に担持させることが好ましい。このような担持体としては、活性炭、ゼオライト等が挙げられる。
【００７０】
２次吸着塔は、ストロンチウム以外の放射性物質を吸着する吸着剤が充填される。
【００７１】
２次吸着塔は、複数配設されることが好ましく、全てに通水可能かつ任意の１つを除外して通水可能に直列に接続され、切り離した２次吸着塔を新しいものと交換し、交換後の新しい２次吸着塔を最下流に接続することができるよう配管されるとよい。これにより、破過つまり吸着能力が飽和した２次吸着塔を順次新しいものに入れ替えることで、連続して浄化を行うことができる。
【００７２】
２次吸着塔に充填される吸着剤としては、例えばフェロシアン化コバルト又はフェロシアン化鉄を担持する酸化チタンで構成される吸着剤、無機炭素及びアルミナで構成される吸着剤（除去対象：多元素）、酸化セシウム系無機材料で構成される吸着剤（除去対象：Ｓｂ、Ｓｅ、Ｔｅ、ヨウ素酸）、ヨウ素を担持する活性炭で構成される吸着剤（除去対象：ヨウ素）、タンニンを担持する活性炭で構成される吸着剤（除去対象：超ウラン元素（Ｕ、ｎｐ、Ｐｕ、Ａｍ、Ｃｍ））、還元鉄を担持する活性炭で構成される吸着剤（除去対象：Ｓｂ、Ｓｅ、Ｔｅ、多元素）、アルミニウム含有無機炭素系材料で構成される吸着剤（除去対象：Ｓｂ、Ｓｅ、Ｔｅ、Ｔｃ）、各種キレート剤（例えばＤＤＴＣ、オキシン、ＤＴＰＡ、クペロン等）を担持する活性炭で構成される吸収剤（除去対象：超ウラン元素（Ｕ、ｎｐ、Ｐｕ、Ａｍ、Ｃｍ））等を含むものが挙げられる。ここで除去対象が「多元素」とは、Ａｇ、Ｃｄ、Ｅｕ、Ｍｎ、Ｃｏ、Ｙ、Ｒｕ、Ｃｅ、Ｔｅ、ｎｉ、Ｚｎ、Ｒｈ、ｎｄ、Ｓｎ、Ｓｂ、Ｔｃ、Ｐｒ、Ｓｍ、Ｇｄ、Ｖ及び超ウラン元素（Ｕ、ｎｐ、Ｐｕ、Ａｍ、Ｃｍ）の一部又は全部を除去対象とすることを意味する。
【００７３】
＜残留水除去工程＞
残留水除去工程では、例えば低水位水中ポンプによる吸引等によって汚染水タンクに残留する水を除去する。この残留水除去工程により、汚染水タンクの解体作業を妨げたり、解体により周囲に漏洩するおそれがある残留水を除去し、作業者が汚染水タンクの中で解体作業を行うことを可能にする。
【００７４】
残留水除去工程で用いる低水位水中ポンプとしては、例えば土木工事現場等において広く使用されている公知の低水位排水ポンプ、つまり汚染水タンクの底部に着床して配置され、その下部から周囲の水を吸い込んで送出することができるポンプを挙げることができる。
【００７５】
また、残留水除去工程では、例えばウエス等に汚染水を吸収させる工程を組み合わせることによって、汚染水タンク内に残留する汚染水の水量をさらに低減するようにしてもよい。
【００７６】
＜空気冷却工程＞
空気冷却工程では、上述の放射性物質濃度低減方法の空気冷却工程を行うことによって、汚染水タンク内のトリチウム水蒸気を凝縮させ、汚染水タンクの内部空間の空気中の放射性物質濃度を低減する。
【００７７】
＜空気入替工程＞
空気入替工程では、上述の放射性物質濃度低減方法の空気入替工程を行うことによって、汚染水タンク内の空気中の放射性物質濃度をさらに低減する。
【００７８】
＜タンク解体工程＞
タンク解体工程では、上述の放射性物質濃度低減方法の吸気除湿工程を行うことによって、作業者が吸い込む汚染水タンク内の空気中の放射性物質濃度をさらに低減しながら、タンクを解体する。これにより、汚染水タンクの壁を複数の板片に分割し、汚染水タンク設置場所からの搬出を容易にする。
【００７９】
上記汚染水タンクの壁の分割方法としては、汚染水タンクがボルト締め型タンクである場合にはボルトの取り外し、汚染水タンクが溶接型タンクである場合には例えばバンドソー等を用いた切断による方法が挙げられる。
【００８０】
また、上記汚染水タンクの壁の分割の際には、作業を行う分割部分の近傍の空気を吸引し、例えばフィルター等によりダストを除去してから空気を放出するようにしてもよい。これによって、汚染物質の飛散を防止することができる。
【００８１】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００８２】
当該放射性物質濃度低減方法において、水蒸気低減工程は、水蒸気のモル分率を低減できるものであればよく、上記空気冷却工程、空気入替工程及び吸気除湿工程のいずれかの工程、又はこれら以外の方法で水蒸気のモル分率を低減する工程を少なくとも１つ有していればよい。
【００８３】
当該放射性物質濃度低減方法の空気入替工程において、吸湿材料含有フィルターの上流側に冷凍式除湿機を設けてもよい。このように冷凍式除湿機を併用することにより吸湿材料の寿命を延長することができる。
また、タンク下部付近にマンホールが設置されている場合は、当該マンホールから空気の入れ替えを行うことも可能である。
【００８４】
また、当該放射性物質濃度低減方法の空気入替工程において、ダクトはタンク上部から挿入する以外に、タンク側面に設けられたマンホール等から挿入してもよい。
【産業上の利用可能性】
【００８５】
本発明に係る放射性物質濃度低減方法は、空気中の汚染物質濃度を低減するために広く適用可能であるが、特に事故後の原発において発生した汚染水を貯留する目的で配設された汚染水タンクや汚染された建屋を解体するために好適に利用することができる。
【符号の説明】
【００８６】
１  ダクト
２  吸引ファン
３  吸湿材料含有フィルター
Ｓ１  空気冷却工程
Ｓ２  空気入替工程
Ｓ３  吸気除湿工程
Ｘ  汚染水タンク
【図１】
2016200490.tif 000003
【図２】
2016200490.tif 000004